(57)【要約】【課題】  携帯電話の操作をＴＶやパソコンの操作並みの簡単さで行い、さらには第三者の復元を防止した上で外部メモリーへのデータバックアップする事を課題とする。【解決手段】携帯電話と該携帯電話との通信が可能な信号中継装置と外部ディスプレー装置と外部キーボードとを含む携帯電話操作システムであって、該携帯電話の画面表示を外部ディスプレーでも行えるようにし、かつ、外部キーボードのキー操作で、該携帯電話の操作がおこなえる事により大型画面・大型キーボードであたかもパソコンの如き操作性をえる事を特長とする。さらに、携帯電話が保有する登録したデータやネットワークからダウンロードしたコンテンツ等のデータを、第三者による複写を防止した上で保存・復元（バックアップ）できる。【特許請求の範囲】
【請求項１】
携帯電話と、該携帯電話との通信が可能な信号中継装置と、外部ディスプレー装置と、外部キーボードとを含む携帯電話操作システムであって、
前記携帯電話は、該携帯電話の画面に表示可能な第１のデータを前記信号中継装置に送信するデータ出力手段を有し、
前記信号中継装置は、前記データをＴＶ信号に変換する変換手段を有し、
前記外部ディスプレー装置は、前記ＴＶ信号に応じた映像を表示し、
前記信号中継装置は、外部キーボードのキー操作に応じたキー信号を前記携帯電話に送信する信号出力手段を有し、
前記携帯電話は、前記キー信号に応じて該携帯電話の動作を制御する制御手段を有し、
前記信号中継装置は、さらに前記携帯電話との通信が確立され、キー操作による要求があった場合に、前記携帯電話に前記画面の表示を停止させる要求信号を送信する要求出力手段を有し、
前記携帯電話において、前記制御手段は、前記要求信号に応じて前記画面の表示を停止することを特徴とする携帯電話操作システム。
【請求項２】
前記携帯電話において、前記制御手段は、前記要求信号に応じて前記画面の表示を停止し、かつ該携帯電話の操作キーが操作されることに応じて前記画面の表示を再開することを特徴とする請求項１に記載の携帯電話操作システム。
【請求項３】
前記第１のデータは、前記携帯電話においてユーザーが登録した又はダウンロードした第２のデータを含み、
前記携帯電話は、該携帯電話において入力されたパスワードの情報を前記信号中継装置に送信するパスワード出力手段を有し、
前記信号中継装置は、前記パスワード情報と前記第２のデータとを関連付けて保存するデータメモリと、該データメモリに保存された前記第２のデータのうち、外部キーボードよりパスワードと共に入力された読み出し要求信号と前記データとを照合し、前記携帯電話から受信したパスワード情報に対応するデータを特定し、そのデータを外部ディスプレーに表示すると共に、キー操作による確認信号を得て、該携帯電話に送信するデータ読み出し手段とを有することを特徴とする請求項１に記載の携帯電話操作システム。
【請求項４】
前記携帯電話は、前記第２のデータのうち消去されたデータに関する履歴情報を作成する履歴作成手段を有し、
前記信号中継装置は、前記携帯電話における消去の有無にかかわらず前記第２のデータを保存するデータメモリと、前記データメモリに保存され、かつ前記履歴情報に含まれる前記第２のデータのうち、前記外部キーボードのキー操作により指定されたデータを読み出して外部ディスプレー装置に表示し、キー操作による確認信号を得て、前期指定されたデータを前記携帯電話に送信するデータ復元手段とを有することを特徴とする請求項１に記載の携帯電話操作システム。
【請求項５】
携帯電話およびディスプレー装置との通信が可能な信号中継装置であって、
前記携帯電話から受信した、該携帯電話の画面に表示可能な第１のデータを、前記ディスプレー装置にて表示可能なＴＶ信号に変換し、表示する変換手段と、
キーボードのキー操作に応じた信号であって、前記携帯電話の動作を制御するキー信号を前記携帯電話に送信する信号出力手段を有することを特徴とする信号中継装置。
【請求項６】
前記第１のデータは、前記携帯電話においてユーザーが登録した又はダウンロードした第２のデータを含み、
前記携帯電話から受信したパスワード情報と前記第２のデータとを関連付けて保存するデータメモリと、
該データメモリに保存された前記第２のデータのうち、キー操作により受信したパスワード情報に対応するデータを特定し、外部ディスプレーに表示し、キー操作による確認信号を得て該携帯電話に前記特定されたデータを送信するデータ読み出し手段とを有することを特徴とする請求項５に記載の信号中継装置。
【請求項７】
前記パスワード情報および前記第２のデータとを関連付けて前記データメモリに保存する機能を実行するか否かを選択させるための操作部材を有し、該信号中継装置は、電源投入時に前記操作部材が操作されたことに応じて、前記機能を実行することを特徴とする請求項６に記載の信号中継装置
【請求項８】
前記携帯電話は第２のデータを消去した場合、その履歴情報を持ち、
前記携帯電話における消去の有無にかかわらず前記第２のデータを保存するデータメモリと、前記データメモリに保存された前記第２のデータであって、前記携帯電話において消去されたデータに関する履歴情報に含まれるデータのうち、前記キーボードのキー操作により指定されたデータを読み出して、外部記憶装置に表示し、キー操作による確認を得て、前記携帯電話に送信するデータ復元手段とを有することを特徴とする請求項５に記載の信号中継装置。
【請求項９】
前記携帯電話との通信が確立された場合に、キー操作による選択により、前記携帯電話に前記画面の表示を停止させる要求信号を送信する要求出力手段を有することを特徴とする請求項５に記載の信号中継装置。
【請求項１０】
充電手段を有し、該充電手段は、該信号中継装置と前記携帯電話の双方を充電する機能を有することを特徴とする請求項５に記載の信号中継装置。
【発明の詳細な説明】
【技術分野】
【０００１】
携帯電話の各種データのバックアップと画像信号変換システムに関する
【背景技術】
【０００２】
図１に示すように、従来の携帯電話はその液晶画面１１・操作キー１２・ＣＰＵやメモリーを含むコントローラ１３など全ての機能を手のひらサイズの中に収納しており、それぞれの大きさに限界がある。
【発明の開示】
【発明が解決しようとする課題】
【０００３】
然るに近年携帯電話がゲーム・動画・小説など大量のデータを入出力するように用途が拡大するに伴い、携帯のハンドリング性のよさをキープしながらパソコン的大画面、キー操作が要求され、更には重要データのバックアップシステムの必要性が高まってきた。
【課題を解決するための手段】
【０００４】
１、本システムは、携帯電話の持つ映像を含むデータをＴＶ信号に変換し、外部ディスプレーに映像を表示する。また、該ディスプレーに表示された画面を見ながら外部キーボードより該携帯電話の操作が出来、さらに、このシステム稼動中は該携帯電話の表示は休止している機能を有する携帯電話操作システムである。
具体的には、
携帯電話と、該携帯電話との通信が可能な信号中継装置と、外部ディスプレー装置と、外部キーボードとを含む携帯電話操作システムであって、
前記携帯電話は、該携帯電話の画面に表示可能な第１のデータを前記信号中継装置に送信するデータ出力手段を有し、
前記信号中継装置は、前記データをＴＶ信号に変換する変換手段を有し、
前記外部ディスプレー装置は、前記ＴＶ信号に応じた映像を表示し、
前記信号中継装置は、外部キーボードのキー操作に応じたキー信号を前記携帯電話に送信する信号出力手段を有し、
前記携帯電話は、前記キー信号に応じて該携帯電話の動作を制御する制御手段を有し、
前記信号中継装置は、さらに前記携帯電話との通信が確立され、キー操作による要求があった場合に、前記携帯電話に前記画面の表示を停止させる要求信号を送信する要求出力手段を有し、
前記携帯電話において、前記制御手段は、前記要求信号に応じて前記画面の表示を停止することを特徴とする携帯電話操作システム。
【０００５】
２、前記信号中継装置の信号により動作を休止している該携帯電話は該携帯電話の操作キーが操作されることによって表示を再開する機能を有する携帯電話操作システムである。
具体的には、
前記携帯電話において、前記制御手段は、前記要求信号に応じて前記画面の表示を停止し、かつ該携帯電話の操作キーが操作されることに応じて前記画面の表示を再開することを特徴とする請求項１に記載の携帯電話操作システム。
【０００６】
３、前記携帯電話は該携帯電話により入力されたパスワードを信号中継装置に送信し、該信号中継装置はそのパスワードと該携帯電話より送信されたデータを関連付けて保存し得る機能を有し、キー操作によるパスワードを含む要求信号に対応するデータを読み出して該携帯電話に送信するデータ読み出し機能を有する携帯電話操作システムである。具体的には、
前記第１のデータは、前記携帯電話においてユーザーが登録した又はダウンロードした第２のデータを含み、
前記携帯電話は、該携帯電話において入力されたパスワードの情報を前記信号中継装置に送信するパスワード出力手段を有し、
前記信号中継装置は、前記パスワード情報と前記第２のデータとを関連付けて保存するデータメモリと、該データメモリに保存された前記第２のデータのうち、外部キーボードよりパスワードと共に入力された読み出し要求信号と前記データとを照合し、前記携帯電話から受信したパスワード情報に対応するデータを特定し、そのデータを外部ディスプレーに表示すると共に、キー操作による確認信号を得て、該携帯電話に送信するデータ読み出し手段とを有することを特徴とする請求項１に記載の携帯電話操作システム。
【０００７】
４、前記携帯電話は消去されたデータの履歴情報を有し、前記履歴情報の中より、外部キーボードの操作により復元を希望する情報を選択し、信号中継装置に保管するデータから前記希望する情報を特定し、そのデータを該携帯電話に送信する機能を有する携帯電話操作システムである。
具体的には、
前記携帯電話は、前記第２のデータのうち消去されたデータに関する履歴情報を作成する履歴作成手段を有し、
前記信号中継装置は、前記携帯電話における消去の有無にかかわらず前記第２のデータを保存するデータメモリと、前記データメモリに保存され、かつ前記履歴情報に含まれる前記第２のデータのうち、前記外部キーボードのキー操作により指定されたデータを読み出して外部ディスプレー装置に表示し、キー操作による確認信号を得て、前期指定されたデータを前記携帯電話に送信するデータ復元手段とを有することを特徴とする請求項１に記載の携帯電話操作システム。
【０００８】
５、前記携帯電話の画面情報をＴＶ信号として変換し外部ディスプレーに表示でき、その画面を見ながら外部キーボードにより該携帯電話を操作できる機能を有する信号中継装置である。
具体的には、
携帯電話および外部ディスプレー装置との通信が可能な信号中継装置であって、
前記携帯電話から受信した、該携帯電話の画面に表示可能な第１のデータを、前記ディスプレー装置にて表示可能なＴＶ信号に変換し、表示する変換手段と、
外部キーボードのキー操作に応じた信号であって、前記携帯電話の動作を制御するキー信号を前記携帯電話に送信する信号出力手段を有することを特徴とする信号中継装置。
【０００９】
６、パスワードにより保存データの第三者復元からガードする機能を有する信号中継装置である。
具体的には、
前記第１のデータは、前記携帯電話においてユーザーが登録した又はダウンロードした第２のデータを含み、
前記携帯電話から受信したパスワード情報と前記第２のデータとを関連付けて保存するデータメモリと、
該データメモリに保存された前記第２のデータのうち、キー操作により受信したパスワード情報に対応するデータを特定し、外部ディスプレーに表示し、キー操作による確認信号を得て該携帯電話に前記特定されたデータを送信するデータ読み出し手段とを有することを特徴とする請求項５に記載の信号中継装置。
【００１０】
７、パスワードを設定するか否かを識別する機能を有する信号中継装置である。
具体的には、
前記パスワード情報および前記第２のデータとを関連付けて前記データメモリに保存する機能を実行するか否かを選択させるための操作部材を有し、該信号中継装置は、電源投入時に前記操作部材が操作されたことに応じて、前記機能を実行することを特徴とする請求項６に記載の信号中継装置
【００１１】
８、消去したデータの復元機能を有する信号中継装置である。
具体的には、
前記携帯電話は第２のデータを消去した場合、その履歴情報を持ち、
前記携帯電話における消去の有無にかかわらず前記第２のデータを保存するデータメモリと、前記データメモリに保存された前記第２のデータであって、前記携帯電話において消去されたデータに関する履歴情報に含まれるデータのうち、前記キーボードのキー操作により指定されたデータを読み出して、外部記憶装置に表示し、キー操作による確認を得て、前記携帯電話に送信するデータ復元手段とを有することを特徴とする請求項５に記載の信号中継装置。
【００１２】
９、前記信号中継装置が稼動中に該携帯電話の表示を休止する機能を有する信号中継装置である。
具体的には、
前記携帯電話との通信が確立された場合に、キー操作による選択により、前記携帯電話に前記画面の表示を停止させる要求信号を送信する要求出力手段を有することを特徴とする請求項５に記載の信号中継装置。
【００１３】
１０、前記信号中継装置が稼動中は、前記携帯電話の充電が平行して行われる機能を有する信号中継装置である。
具体的には、
充電手段を有し、該充電手段は、該信号中継装置と前記携帯電話の双方を充電する機能を有することを特徴とする請求項５に記載の信号中継装置。
【００１４】
本発明によれば
【００１５】
１、携帯電話を単なる携帯機器ではなく、入出力は外部ディスプレーの大画面、外部キーボードの快適さ維持しつつ、携帯電話の操作の簡便さを享受でき双方の特徴を併せ持った環境を現出できる。今後携帯電話の機能が益々高機能化し、ワープロ、表計算機能まで取り込んでくることを考えれば、パソコン並みのヘビーワークを本システムでやれることになる。また、該信号中継装置稼動中は、該携帯電話の画面表示は休止させ、該携帯電話の電池の消耗を避けることが出来る。
【００１６】
２、請求項１に示すように、本中継装置を経由することにより、外部から携帯電話の操作画面を操作できるので、外部ディスプレーと外部キーボードで入出力でき、パソコンと同様な操作環境を現出できる。さらに、パソコンは操作の前提としてＯＳを立ち上げる操作がいるが，本装置は携帯電話の簡便さでワンタッチ操作でき、かつ携帯電話の持つ個別ＩＤによる個体認証の容易さも継承できる。
【００１７】
３、パスワードを併用することにより、悪意の第三者複製を避けながらデータバックアップが行える。また、同じ装置を複数で共有することも可能であり、インターネットカフェー的サービスも可能である。
【００１８】
４、請求項１０の機能により、電池の充電をしながら操作することが可能となり、固定料金による２４時間接続にも対応できる。
【００１９】
５、請求項１に示すように、本システムは、携帯電話と外部ディスプレー装置と外部キーボードとを該携帯電話との通信が可能な信号中継装置で接続し、構成されており、本システムのメインコンピュータは携帯電話のコンピュータに依存している。したがって、携帯電話がバージョンアップすれば自動的に本システムの機能もアップする。
その結果、パソコンのように定期的にＯＳをバージョンアップするわずらわしさから開放される。
【発明を実施するための最良の形態】
【００２０】
以下、本発明の実施例について図面を参照しながら説明する。
【実施例１】
【００２１】
図１には、本発明の実施例１である携帯電話操作システムで使用される携帯電話を示している。図１において、１０は携帯電話、１１は液晶画面、１２は操作キー部、１３は携帯電話１０の全体の機能を司る、ＣＰＵやメモリ等を含むコントローラである。
図２には、本実施例、携帯電話操作システムの全体構成を示している。本システムは、携帯電話１０とＴＶ３１（外部ディスプレイ装置）および外部キーボード４１、信号中継装置２１により構成されている。本実施例では外部キーボード４１とＴＶ３１は常時、信号中継装置２１に接続されており、携帯電話の保持者は該携帯電話を充電器のスタンドに立てる感覚で該信号中継装置２１の携帯電話用充電端子部Ｂ２４に該携帯電話の携帯電話充電端子部Ａ１５に接続され、映像信号は携帯電話の映像信号入出力ポートＡ１４と該信号中継装置の映像信号入出力ポートＢ２３とを映像信号接続コード２５等によって接続されている。映像信号接続コード２５の機能はブルーツースなどの無線手段でも代替できる。
【００２２】
上記接続が完了された時点で  信号中継装置２１の電源を投入すれば、携帯電話１０の液晶画面１１に表示されるべき操作画面を示す第１のデータ信号（以下、画面信号という）が、信号中継装置２１に入力される。信号中継装置２１は、映像変換器（未表示）を有し、入力された画面信号を所定のテレビジョンフォーマットの信号（ＴＶ信号）に変換する。このTV信号はＴＶ３１に出力され、該ＴＶ３１の画面に、携帯電話１０の液晶画面１１に表示されるべき小さな表示内容が拡大されて表示される。
このとき、信号中継装置２１に設けられたＣＰＵやメモリーを含むコントローラ２２からは、まず携帯電話との接続が確立したか否かを判別し、接続が確立したとき、かつキー操作による要求があった場合、携帯電話に対して表示停止要求を出力する。
これを受けた携帯電話１０のコントローラ１３は、液晶画面１１の表示を停止させる。なお、液晶画面１１は表示休止状態になるが、信号中継装置２１が有する充電ユニット（未表示）からは電源が供給されている。このため、携帯電話１０は充電状態となる。なお、前記充電ユニットは、ＡＣコンセント等から電源の供給を受けており、信号変換装置２１自身の充電を行いつつ、携帯電話１０の充電も行う。
信号変換装置２１に接続された外部キーボード４１のキーが操作されると、その操作に応じたキー信号が信号変換装置２１のコントローラ２２に入力される。コントローラ２２は、入力されたキー信号を、携帯電話１０において受付け可能なフォーマットに変換する等して携帯電話１０に出力する。キー信号を受けた携帯電話１０のコントローラ１３は、該キー信号に応じた動作（例えば、メニューの選択とかの携帯電話操作）を行う。
このようなシステムによれば、あたかも携帯電話１０を操作すると同様にＴＶの大型画面に表示された携帯画面を使いながら、かつ携帯電話１０の少ない操作キーに比べてキーの数が多く、またキーのサイズが大きくて操作しやすい外部キーボード４１を用いて、携帯電話の全機能を使用可能である。
【００２３】
また、信号中継装置２１のコントローラ２２は、キー操作等を受けて、携帯電話１０の持つ各種登録データやダウンロードされた映像などのデータ（第２のデータ）の送信要求を携帯電話１０に送信する。該送信要求を受けた携帯電話１０のコントローラ１３はキー操作により入力されたパスワードとともに上記データを信号中継装置２１に送信する。信号中継装置２１のコントローラ２２は、受信したパスワードとデータとを関係付けて信号中継装置２１内のコントローラ２２に保存する。なお、パスワードは携帯電話１０の使用者によって任意に設定される。
コントローラ２２内に保存されたデータは該携帯電話内に保存されていたデータが消去された以降も保存される。
携帯電話１０のコントローラ１３は、保存されていたデータが消去された場合、その履歴情報を作成して保存しておく。その後、消去したデータを復元する必要が生じた場合には、ＴＶ３１の画面に、携帯電話１０にて消去されたデータのリストを表示させ、これを見ながら外部キーボード４１の操作により、復元したいデータを選択することにより、信号中継装置２１のコントローラ２２から該当するデータを読み出して、携帯電話１０に送信する。
このとき、信号変換装置２１のコントローラ２２は、外部ディスプレーにパスワードの入力要求画面を表示し、入力されたパスワードに対応するデータのみをコントローラ２２内のデータメモリーから読み出して携帯電話１０に送信する。これにより、携帯電話１０において消去したデータを復元することができる。したがって、有料コンテンツからダウンロードしたデータ等の貴重なデータであって、携帯電話１０の使用者が消去してしまったデータの保護を図ることができる。しかも、パスワードを用いて、パスワードに対応したデータのみを携帯電話１０に送信することにより、第三者に当該データを見られる心配がない。
【００２４】
請求項６に示すパスワードを用いた第三者による復元防止の機能は  請求項７に示すパスワードとデータの関連付け機能を実行するか否かを選択させる操作部材を設けることにより、該操作部材の操作で、請求項６で規定する復元防止機能は実行されない。この請求項７は、インターネットカフェーなどで複数の所要者が本システムを共用する場合、バックアップ機能を気にせず、通常の携帯電話対応として使用できる事を想定している。
【００２５】
上記実施例における各部の働き、信号のフローの概略を図６のフローチャートに表示した。
【００２６】
外部キーボード４１・外部ディスプレー３１を接続した信号中継装置２１に携帯電話１０を取り付け、信号中継装置２１の電源スイッチを入れると、信号中継装置２１のコントローラ２２は  各機器の接続状態を確認し、かつ外部キーボードより入力される携帯電話画面休止要求を確認し、携帯電話のコントローラ１３に画面表示休止要求を送信する。前記要求を受けた携帯電話のコントローラ１３は直ちに液晶表示装置11への表示を休止する。
【００２７】
同時に  信号中継装置２１のコントローラ２２(以下コントローラ２２)は携帯電話１０のコントローラ１３(以下コントローラ１３)に携帯電話操作画面の出力要求信号を発信する。前記要求にしたがってコントローラ１３はコントローラ２２に携帯電話操作画面を送信する。前記操作画面を受け取ったコントローラ２２はそれらを前記映像変換装置によりＴＶ信号に変換し外部ディスプレーに表示する。
【００２８】
前記操作画面を見ながら入力される外部キーボードからの携帯電話操作キー信号は、コントローラ２２で  携帯電話操作信号に置き換えられ、コントローラ１３に送られる。前期コントローラ１３は、その信号により携帯の各機能を操作する。
このことによって、大画面の外部キーボード３１に表示された携帯操作画面を見ながら、外部キーボードの快適入力で携帯電話のすべての入出力の操作が出来る。
【００２９】
データバックアップの要求は、外部キーボード４１のキー操作により要求される。
この操作キー信号はコントローラ２２に送られ、前期第２のデータ要求信号としてコントローラ１３に送られる。コントローラ１３は要求により、携帯電話に保存されている第２のデータをコントローラ２２に送る。同時にすでに設定されているパスワードも送られる。送られた前記パスワードとデータは  コントローラ２２によってデータとパスワードが関連付けられて保存される。
【００３０】
携帯電話１０で削除要求によって削除されたデータは削除履歴を残して削除される。先所履歴はコントローラ２２に送られ保存される。
【００３１】
削除データ復元する場合は、外部キーボード４１より削除データ復元要求をキーインする。コントローラ２２では復元機能が有効であることを確認し、外部ディスプレー３１に、削除履歴の表示を行い必要復元データの選択を要求する。と同時にパスワードの入力要求を行う。特定された前記復元データとパスワードが入力されるとコントローラ２２の中で照合が行われ、復元データが抽出され、コントローラ１３に送られデータが復元される。
【００３２】
復元機能操作部材(キーやカードなど)の操作で前記復元機能は無効となり、通常の携帯電話機能のみの使用が出来る。この事は、インターネットカフェーなどで複数の所要者が本システムを共用する場合、バックアップ機能を気にせず、通常の携帯電話対応として使用できる事を想定している。
【００３３】
更に、本信号中継装置には電源充電装置を持つことが出来、本システムの稼動中を通じて、信号中継装置２１、携帯電話１０の充電が可能であり、２４時間連続使用などのヘビーユウスにも対応できる。
【００３４】
図３の実施例によれば，パソコン３４は信号中継装置２１と接続コード３３を介して接続されている。図２の実施例の実施例における外部ディスプレー３１と外部キーボード４１の機能をあわせてパソコンの負わせるものであり、他の機能は図２の実施例に順ずる。
【００３５】
本実施例では、パソコンのOSに負うところは少ないので古いパソコンでも有効に活用することが出来る。
【００３６】
図４の実施例によれば  
携帯電話は信号中継装置２１を介してプロジェクタ５２に接続されており、該携帯電話に保存されているデータは、プロジェクタ５２でパソコンを経ることなく直接投影することができる。したがって、携帯電話でデータをダウンロードしておけば、パソコンを持ち込むことなくプロジェクタ５２でプレゼンが出来る。将来本システムが非常に小型化することを考えれば、出張先でプレゼンするには非常に有効である。
【００３７】
図５の実施例は  
中型の携帯型のフルキーボード付表示装置５４との接続例である。ゲームなど動きの激しい映像や電子出版など細かい情報を見やすくすることが出来る。
【００３８】
いずれの実施例もデータ伝送は赤外線等を用いた無線通信によることも可能である。
【００３９】
今後携帯電話の固定料金制が導入されるに伴い、長時間接続が基本となる。それにあわせて電池寿命が課題となる。本発明のいずれの実施例においても操作中の並行充電が可能で、その課題を解消できる。
【００４０】
以上のいずれの実施例でも本信号中継装置２２が持つ請求項６の機能により、悪意の第三者による複写から携帯電話の各種データを保護することが出来る。
【図面の簡単な説明】
【００４１】
【図１】携帯電話
【図２】ＴＶとの接続実施例
【図３】パソコンとの接続実施例
【図４】プロジェクタとの接続実施例
【図５】一体型（ＰＤＡタイプ）との接続実施例
【図６】フローチャート
【符号の説明】
【００４２】
１０  携帯電話
１１  携帯電話の液晶画面
１２  携帯電話のキー入力部
１３  携帯電話のＣＰＵやメモリーを含むコントローラ
１４  携帯電話映像信号入出力ポートＡ
１５  携帯電話充電端子部Ａ
２１  信号中継装置
２２  信号中継装置のＣＰＵやメモリーを含むコントローラ
２３  映像信号入出力部Ｂ
２４  携帯電話用充電端子部Ｂ
２５  映像信号接続コード
３１  ＴＶ装置(外部ディスプレー)
３２  ＴＶ信号接続コード
３３  パソコン接続コード
３４  パソコン本体・ディスプレー
４１  外部キーボード
４２  キーボード接続コード
５２  プロジェクター
５３  プロジェクター接続コード
５４  ディスプレー・キーボード一体型信号中継装置
【図１】
2005269137.tif 000002
【図２】
2005269137.tif 000003
【図３】
2005269137.tif 000004
【図４】
2005269137.tif 000005
【図５】
2005269137.tif 000006
【図６】
2005269137.tif 000007